(57)【要約】【課題】定常運転を行いつつ、蓄電池のリセット充放電を行う。【解決手段】実施形態の蓄電池電源装置は、複数の蓄電池を有し、外部の負荷に蓄電電力の電力供給を行う蓄電池電源装置である。そして、制御部は、リセット充放電の対象となる一又は複数の蓄電池の放電電力及び充電電力を考慮して、前記リセット充放電の対象以外の蓄電池の放電電力量を設定して、前記リセット充放電と前記負荷への電力供給を並行して行うように制御する。【選択図】図１
2015146693.tif 000002
【特許請求の範囲】
【請求項１】
複数の蓄電池を有し、外部の負荷に蓄電電力の電力供給を行う蓄電池電源装置であって、
リセット充放電の対象となる一又は複数の蓄電池の放電電力及び充電電力を考慮して、前記リセット充放電の対象以外の蓄電池の放電電力量を設定して、前記リセット充放電と前記負荷への電力供給を並行して行うように制御する制御部を備えた蓄電池電源装置。
【請求項２】
前記制御部は、リセット充放電の対象となる一又は複数の蓄電池の放電電力量及び前記リセット充放電の対象以外の蓄電池の放電電力量の和が、前記負荷への電力供給量となるように前記リセット充放電の対象以外の蓄電池の放電電力量を設定する、
請求項１記載の蓄電池電源装置。
【請求項３】
前記制御部は、前記リセット充放電の対象となる一又は複数の蓄電池が放電している場合には、リセット充放電の対象となる一又は複数の蓄電池の放電電力量及び前記リセット充放電の対象以外の蓄電池の放電電力量の和が、前記負荷への電力供給量となるように前記リセット充放電の対象以外の蓄電池の放電電力量を設定する、
請求項２記載の蓄電池電源装置。
【請求項４】
前記制御部は、前記リセット充放電の対象となる一又は複数の蓄電池が充電している場合には、リセット充放電の対象となる一又は複数の蓄電池の充電電力量と前記リセット充放電の対象以外の蓄電池の放電電力量と、の差が、前記負荷への電力供給量となるように前記リセット充放電の対象以外の蓄電池の放電電力量を設定する、
請求項２記載の蓄電池電源装置。
【請求項５】
前記蓄電池電源装置は、外部の商用電源と系統連系を行い、
前記制御部は、リセット充放電の対象となる一又は複数の蓄電池の放電電力量及び前記リセット充放電の対象以外の蓄電池の放電電力量の和が、前記負荷への電力供給量に対して不足する場合に、前記商用電源からの電力を前記負荷に供給するように制御する、
請求項２記載の蓄電池電源装置。
【請求項６】
前記制御部は、前記リセット充放電の対象となる一又は複数の蓄電池が放電している場合には、リセット充放電の対象となる一又は複数の蓄電池の放電電力量、前記リセット充放電の対象以外の蓄電池の最大放電電力量及び前記商用電源からの供給電力量の和が、前記負荷への電力供給量となるように制御する、
請求項５記載の蓄電池電源装置。
【請求項７】
前記制御部は、前記リセット充放電の対象となる一又は複数の蓄電池が充電している場合には、前記リセット充放電の対象以外の蓄電池の最大放電電力量及び前記商用電源からの供給電力量の和からリセット充放電の対象となる一又は複数の蓄電池の充電電力量放電電力量を差し引いた電力量が、前記負荷への電力供給量となるように制御する、
請求項５記載の蓄電池電源装置。
【請求項８】
複数の蓄電池を有し、外部の負荷に蓄電電力の電力供給を行う蓄電池電源装置で実行される蓄電池電源装置の制御方法であって、
リセット充放電の対象となる一又は複数の蓄電池の放電電力及び充電電力を考慮して、前記リセット充放電の対象以外の蓄電池の放電電力量を設定する過程と、
前記設定された放電電力量を用いて、前記リセット充放電と前記負荷への電力供給を並行して行う過程と、
を備えた蓄電池電源装置の制御方法。
【請求項９】
複数の蓄電池を有し、外部の負荷に蓄電電力の電力供給を行う蓄電池電源装置をコンピュータにより制御するための制御プログラムであって、
前記コンピュータを、
リセット充放電の対象となる一又は複数の蓄電池の放電電力及び充電電力を考慮して、前記リセット充放電の対象以外の蓄電池の放電電力量を設定する手段と、
前記設定された放電電力量を用いて、前記リセット充放電と前記負荷への電力供給を並行して行う手段と、
して機能させる制御プログラム。
【発明の詳細な説明】
【技術分野】
【０００１】
本発明の実施形態は、蓄電池電源装置、蓄電池電源装置の制御方法及び制御プログラムに関する。
【背景技術】
【０００２】
従来、太陽光発電（以下ＰＶ）、風力発電を始めとした再生可能エネルギーが多数導入された電力系統において、ピークシフト、需給調整、ＰＶの変動抑制、電圧無効電力制御等の用途で蓄電池システムが用いられる。
【０００３】
蓄電池システムを用いる際には、ＰＣＳ（Ｐｏｗｅｒ  Ｃｏｎｄｉｔｉｏｎｅｒ  Ｓｕｂｓｙｓｔｅｍ）が取得する蓄電池の充電状態（Ｓｔａｔｅ  Ｏｆ  Ｃｈａｒｇｅ  以下ＳＯＣ）に基づいて制御量を算出することになる。しかし、蓄電池の特性として、繰り返し充放電を行うと、ＰＣＳが取得するＳＯＣと実際のＳＯＣに誤差が生じてしまうという不具合が生じる。
【０００４】
この不具合を解決する手段として、定期的にＳＯＣ上限あるいはＳＯＣ下限まで充放電を行う、リセット充放電と呼ばれる手法がある。
そこで、リセット充放電履歴を参照し、自動でリセット充放電を行う運転計画作成装置が提案されている。
【先行技術文献】
【特許文献】
【０００５】
【特許文献１】特開２００９−２６１１１４号公報
【発明の概要】
【発明が解決しようとする課題】
【０００６】
しかしながら、従来技術においては、リセット充放電期間中に蓄電池システムが保守運転状態となるため、上述した本来の用途（ピークシフトなど）に対して蓄電池システムを用いることができなくなっていた。
そこで、蓄電池システムをより効果的に活用するためには、リセット充放電期間中であっても本来の用途に対して蓄電池を用いることが可能な蓄電池システムが望まれている。
【０００７】
本発明は、上記に鑑みてなされたものであって、定常運転を行いつつ、蓄電池のリセット充放電を行うことが可能な蓄電池電源装置、蓄電池電源装置の制御方法及び制御プログラムを提供することを目的としている。
【課題を解決するための手段】
【０００８】
実施形態の蓄電池電源装置は、複数の蓄電池を有し、外部の負荷に蓄電電力の電力供給を行う蓄電池電源装置である。
そして、制御部は、リセット充放電の対象となる一又は複数の蓄電池の放電電力及び充電電力を考慮して、前記リセット充放電の対象以外の蓄電池の放電電力量を設定して、前記リセット充放電と前記負荷への電力供給を並行して行うように制御する。
【図面の簡単な説明】
【０００９】
【図１】図１は、商用電源と系統連系を行う蓄電池電源装置を含む蓄電池電源システムの概要構成ブロック図である。
【図２】図２は、蓄電池電源装置の処理フローチャートである。
【図３】図３は、リセット充放電時のタイミングチャートである。
【図４】図４は、蓄電池電源装置の商用電源との連携処理の処理フローチャートである。
【図５】図５は、蓄電池電源装置全体の充放電計画の作成処理フローチャートである。
【発明を実施するための形態】
【００１０】
次に好適な実施形態について図面を参照して説明する。
図１は、商用電源と系統連系を行う蓄電池電源装置を含む蓄電池電源システムの概要構成ブロック図である。
【００１１】
蓄電池電源システム１０は、大別すると、商用電源１１と、商用電源１１が接続された分電盤１２と、太陽電池（ＰＶ）、風力発電装置、波力発電装置、潮力発電装置、流水発電装置、潮汐発電装置等の再生可能エネルギーを利用した発電装置として構成された発電ユニット１３と、商用電源１１に分電盤１２を介して接続され、発電ユニット１３から供給された発電電力を蓄え、商用電源１１との系統連系を行いつつ、負荷１４−１〜１４−ｍに電力（交流電力）を供給する蓄電池電源装置１５と、を備えている。
【００１２】
蓄電池電源装置１５は、蓄電池電源装置１５全体を制御する制御装置２１と、複数の蓄電池ユニット２２−１〜２２−ｎと、蓄電池ユニット２２−１〜２２−ｎにそれぞれ対応した複数のＰＣＳ２３−１〜２３−ｎと、を備えている。
【００１３】
次に蓄電池電源装置１５の動作について説明する。
図２は、蓄電池電源装置の処理フローチャートである。
蓄電池電源システム１０を構成している蓄電池電源装置１５の制御装置２１は、蓄電池電源装置１５を構成している複数の蓄電ユニットのうち、リセット充放電が必要な蓄電池が存在するか否かを判別する（ステップＳ１１）。
【００１４】
ステップＳ１１の判別において、リセット充放電が必要な蓄電池ユニットが存在しない場合には（ステップＳ１１；Ｎｏ）、制御装置２１は、通常通りの制御を行い、運用者の目的に応じて蓄電池ユニット２２−１〜２２−ｎの充放電計画を作成し、制御を行うこととなり（ステップＳ１６）、処理を再びステップＳ１１に移行して、以下、同様の処理を繰り返すこととなる。
【００１５】
一方、ステップＳ１１の判別において、リセット充放電が必要な蓄電池ユニットが存在する場合には（ステップＳ１１；Ｙｅｓ）、制御装置２１は、リセット充放電の期間中に電力供給対象となる負荷１４−１〜１４−ｍ全体として必要な電力量に相当する要求電力量を算出する。そして制御装置２１は、リセット充放電が必要な蓄電池ユニット２２−ｘにおける当該リセット充放電時の放電電力量及び充電電力量を考慮しても、蓄電池電源装置１５の供給可能電力量が要求電力量をまかなえるか否かを判別する（ステップＳ１２）。
【００１６】
以下の説明においては、蓄電池ユニット２２−２のみがリセット充放電が必要な蓄電池ユニットであるものとする。
【００１７】
図３は、リセット充放電時のタイミングチャートである。
ステップＳ１２の判別において、蓄電池電源装置１５の供給可能電力量が要求電力量をまかなえると判別した場合には（ステップＳ１２；Ｙｅｓ）、制御装置２１は、例えば、図３に示す時刻ｔ０において、リセット充放電が必要な蓄電池ユニット２２−２についてリセット充放電のための放電を開始し、当該蓄電池ユニット２２−２のＳＯＣが０％になる時刻ｔ１まで放電を行わせる（ステップＳ１３Ａ）。
【００１８】
このときに、蓄電池ユニット２２−２がリセット充放電における最初の放電を開始してから蓄電池ユニット２２−２のＳＯＣが０％になるまで（時刻ｔ０〜時刻ｔ１）の期間における蓄電池ユニット２２−２のトータルの放電電力量＝Ｐｄ１１とする。
【００１９】
これにより制御装置２１は、蓄電池ユニット２２−２以外の他の蓄電池ユニット２２−１、２２−３〜２２−ｎ全体について、蓄電池ユニット２２−２の最初の放電期間中における放電電力量＝Ｐｄ２１を次式により求める。
【００２０】
すなわち、蓄電池ユニット２２−２がリセット充放電における最初の放電を開始してから蓄電池ユニット２２−２のＳＯＣが０％になるまでの期間の要求電力量＝Ｐ１であるとすると、次式により、放電電力量Ｐｄ２１を求める。
Ｐｄ２１＝Ｐ１−Ｐｄ１１
【００２１】
そして、制御装置２１は、蓄電池ユニット２２−２がリセット充放電における最初の放電を開始してから蓄電池ユニット２２−２のＳＯＣが０％になるまで（時刻ｔ０〜時刻ｔ１）の期間の蓄電池ユニット２２−２以外の他の蓄電池ユニット２２−１、２２−３〜２２−ｎ全体の放電電力量＝Ｐｄ２１となるように蓄電池ユニット２２−１、２２−３〜２２−ｎのそれぞれに対し、制御を行う（ステップＳ１３Ｂ）。
【００２２】
具体的には、制御装置２１は、蓄電池ユニット２２−１、２２−３〜２２−ｎのそれぞれに対し、蓄電池ユニット２２−２がリセット充放電における最初の放電を開始してから蓄電池ユニット２２−２のＳＯＣが０％になるまで（時刻ｔ０〜時刻ｔ１）の期間において、放電電力量＝Ｐｄ２１／（ｎ−１）となるように制御を行う。
【００２３】
従って、この期間（時刻ｔ０〜時刻ｔ１）においては、蓄電池ユニット２２−２がリセット充放電における最初の放電を行っていることは負荷１４−１〜１４−ｍ側では何の影響ももたらさず、見かけ上、蓄電池電源装置１５が通常動作を行っているものとみなされることとなる。
【００２４】
続いて制御装置２１は、例えば、時刻ｔ１において、リセット充放電が必要な蓄電池ユニット２２−２についてリセット充放電のための充電を開始し、当該蓄電池ユニット２２−２のＳＯＣが１００％になる時刻ｔ２まで充電を行わせる（ステップＳ１４Ａ）。
【００２５】
このときに、蓄電池ユニット２２−２がリセット充放電における充電を開始してから蓄電池ユニット２２−２のＳＯＣが１００％になるまで（時刻ｔ１〜時刻ｔ２）の期間における蓄電池ユニット２２−２のトータルの充電電力量＝Ｐｃとする。
【００２６】
これにより制御装置２１は、蓄電池ユニット２２−２以外の他の蓄電池ユニット２２−１、２２−３〜２２−ｎ全体について、蓄電池ユニット２２−２のリセット充放電における充電期間中における放電電力量＝Ｐｄ２２を次式により求める。
【００２７】
すなわち、蓄電池ユニット２２−２がリセット充放電における充電を開始してから（ＳＯＣ＝０％）蓄電池ユニット２２−２のＳＯＣが１００％になるまでの期間の要求電力量＝Ｐ２であるとすると、次式により、放電電力量Ｐｄ２２を求める。
Ｐｄ２２＝Ｐ２＋Ｐｃ
【００２８】
そして、制御装置２１は、蓄電池ユニット２２−２がリセット充放電における充電を開始してから蓄電池ユニット２２−２のＳＯＣが１００％になるまで（時刻ｔ１〜時刻ｔ２）の期間の蓄電池ユニット２２−２以外の他の蓄電池ユニット２２−１、２２−３〜２２−ｎ全体の放電電力量＝Ｐｄ２２となるように蓄電池ユニット２２−１、２２−３〜２２−ｎのそれぞれに対し、制御を行う（ステップＳ１４Ｂ）。
【００２９】
具体的には、制御装置２１は、蓄電池ユニット２２−１、２２−３〜２２−ｎのそれぞれに対し、蓄電池ユニット２２−２がリセット充放電における充電を開始してから蓄電池ユニット２２−２のＳＯＣが１００％になるまで（時刻ｔ１〜時刻ｔ２）の期間において、放電電力量＝Ｐｄ２２／（ｎ−１）となるように制御を行う。
【００３０】
従って、この期間（時刻ｔ１〜時刻ｔ２）においても、蓄電池ユニット２２−２がリセット充放電における充電を行っていることは負荷１４−１〜１４−ｍ側では何の影響ももたらさず、見かけ上、蓄電池電源装置１５が通常動作を行っているものとみなされることとなる。
【００３１】
続いて制御装置２１は、時刻ｔ２において、リセット充放電が必要な蓄電池ユニット２２−２についてリセット充放電のための２回目の放電を開始し、当該蓄電池ユニット２２−２のＳＯＣが０％になる時刻ｔ３まで放電を行わせる（ステップＳ１５Ａ）。
【００３２】
このときに、蓄電池ユニット２２−２がリセット充放電における２回目の放電を開始してから蓄電池ユニット２２−２のＳＯＣが０％になるまで（時刻ｔ２〜時刻ｔ３）の期間における蓄電池ユニット２２−２のトータルの放電電力量＝Ｐｄ１２とする。
【００３３】
これにより制御装置２１は、蓄電池ユニット２２−２以外の他の蓄電池ユニット２２−１、２２−３〜２２−ｎ全体について、蓄電池ユニット２２−２の２回目の放電期間中における放電電力量＝Ｐｄ２３を次式により求める。
【００３４】
すなわち、蓄電池ユニット２２−２がリセット充放電における２回目の放電を開始してから蓄電池ユニット２２−２のＳＯＣが０％になるまでの期間の要求電力量＝Ｐ３であるとすると、次式により、放電電力量Ｐｄ２３を求める。
Ｐｄ２３＝Ｐ３−Ｐｄ１２
【００３５】
そして、制御装置２１は、蓄電池ユニット２２−２がリセット充放電における２回目の放電を開始してから蓄電池ユニット２２−２のＳＯＣが０％になるまで（時刻ｔ２〜時刻ｔ３）の期間の蓄電池ユニット２２−２以外の他の蓄電池ユニット２２−１、２２−３〜２２−ｎ全体の放電電力量＝Ｐｄ２３となるように蓄電池ユニット２２−１、２２−３〜２２−ｎのそれぞれに対し、制御を行う（ステップＳ１５Ｂ）。
【００３６】
具体的には、制御装置２１は、蓄電池ユニット２２−１、２２−３〜２２−ｎのそれぞれに対し、蓄電池ユニット２２−２がリセット充放電における２回目の放電を開始してから蓄電池ユニット２２−２のＳＯＣが０％になるまで（時刻ｔ２〜時刻ｔ３）の期間において、放電電力量＝Ｐｄ２３／（ｎ−１）となるように制御を行う。
【００３７】
従って、この期間（時刻ｔ２〜時刻ｔ３）においては、蓄電池ユニット２２−２がリセット充放電における２回目の放電を行っていることは負荷１４−１〜１４−ｍ側では何の影響ももたらさず、見かけ上、蓄電池電源装置１５が通常動作を行っているものとみなされることとなる。
そして、制御装置２１は、蓄電池ユニット２２−２についてのリセット充放電処理を完了し、処理を再びステップＳ１１に移行して、以下、同様の処理を繰り返すこととなる。
【００３８】
一方、ステップＳ１２の判別において、蓄電池電源装置１５の供給可能電力量が要求電力量をまかなえないと判別した場合には（ステップＳ１２；Ｎｏ）、処理を商用電源連携処理に移行する（ステップＳ１７）。
【００３９】
図４は、蓄電池電源装置の商用電源との連携処理の処理フローチャートである。
商用電源連携処理において、制御装置２１は、例えば、時刻ｔ０において、リセット充放電が必要な蓄電池ユニット２２−２についてリセット充放電のための放電を開始し、当該蓄電池ユニット２２−２のＳＯＣが０％になる時刻ｔ１まで放電を行わせる（ステップＳ１３Ｃ）。
【００４０】
このときに、蓄電池ユニット２２−２がリセット充放電における最初の放電を開始してから蓄電池ユニット２２−２のＳＯＣが０％になるまで（時刻ｔ０〜時刻ｔ１）の期間における蓄電池ユニット２２−２のトータルの放電電力量＝Ｐｄ１１とし、蓄電池ユニット２２−２がリセット充放電における最初の放電を開始してから蓄電池ユニット２２−２のＳＯＣが０％になるまでの期間の要求電力量＝Ｐ１１であるとし、蓄電池ユニット２２−２以外の他の蓄電池ユニット２２−１、２２−３〜２２−ｎ全体について、蓄電池ユニット２２−２の最初の放電期間中における最大放電電力量＝Ｐｄ３１とする。
【００４１】
これにより制御装置２１は、蓄電池ユニット２２−２の最初の放電期間中において、商用電源１１との系統連系により商用電源１１から供給を受ける電力量＝Ｐｄ４１を次式により求める。
Ｐｄ４１＝Ｐ１１−Ｐｄ３１−Ｐｄ１１
【００４２】
そして、制御装置２１は、蓄電池ユニット２２−２がリセット充放電における最初の放電を開始してから蓄電池ユニット２２−２のＳＯＣが０％になるまで（時刻ｔ０〜時刻ｔ１）の期間の蓄電池ユニット２２−２以外の他の蓄電池ユニット２２−１、２２−３〜２２−ｎ全体の放電電力量が最大放電電力量＝Ｐｄ３１となるように蓄電池ユニット２２−１、２２−３〜２２−ｎのそれぞれに対し、制御を行う（ステップＳ１３Ｄ）。
【００４３】
具体的には、制御装置２１は、蓄電池ユニット２２−１、２２−３〜２２−ｎのそれぞれに対し、蓄電池ユニット２２−２がリセット充放電における最初の放電を開始してから蓄電池ユニット２２−２のＳＯＣが０％になるまで（時刻ｔ０〜時刻ｔ１）の期間において、放電電力量＝Ｐｄ３１／（ｎ−１）となるように制御を行う。
【００４４】
従って、この期間（時刻ｔ０〜時刻ｔ１）においては、蓄電池ユニット２２−２がリセット充放電における最初の放電を行っていることは負荷１４−１〜１４−ｍ側では何の影響ももたらさず、見かけ上、蓄電池電源装置１５が通常動作を行っているものとみなされることとなる。
【００４５】
続いて制御装置２１は、例えば、時刻ｔ１において、リセット充放電が必要な蓄電池ユニット２２−２についてリセット充放電のための充電を開始し、当該蓄電池ユニット２２−２のＳＯＣが１００％になる時刻ｔ２まで充電を行わせる（ステップＳ１４Ｃ）。
【００４６】
このときに、蓄電池ユニット２２−２がリセット充放電における充電を開始してから蓄電池ユニット２２−２のＳＯＣが１００％になるまで（時刻ｔ１〜時刻ｔ２）の期間における蓄電池ユニット２２−２のトータルの充電電力量＝Ｐｃであるとし、蓄電池ユニット２２−２がリセット充放電における充電を開始してから蓄電池ユニット２２−２のＳＯＣが１００％になるまでの期間の要求電力量＝Ｐ１２であるとし、蓄電池ユニット２２−２以外の他の蓄電池ユニット２２−１、２２−３〜２２−ｎ全体について、蓄電池ユニット２２−２の充電期間中における最大放電電力量＝Ｐｄ３２とする。
【００４７】
これにより制御装置２１は、蓄電池ユニット２２−２の充電期間中において、商用電源１１との系統連系により商用電源１１から供給を受ける電力量＝Ｐｄ４２を次式により求める。
Ｐｄ４２＝Ｐ１２−Ｐｄ３２＋Ｐｃ
【００４８】
そして、制御装置２１は、蓄電池ユニット２２−２がリセット充放電における充電を開始してから蓄電池ユニット２２−２のＳＯＣが１００％になるまで（時刻ｔ１〜時刻ｔ２）の期間の蓄電池ユニット２２−２以外の他の蓄電池ユニット２２−１、２２−３〜２２−ｎ全体の放電電力量が最大放電電力量＝Ｐｄ３２となるように蓄電池ユニット２２−１、２２−３〜２２−ｎのそれぞれに対し、制御を行う（ステップＳ１４Ｄ）。
【００４９】
具体的には、制御装置２１は、蓄電池ユニット２２−１、２２−３〜２２−ｎのそれぞれに対し、蓄電池ユニット２２−２がリセット充放電における充電を開始してから蓄電池ユニット２２−２のＳＯＣが１００％になるまで（時刻ｔ１〜時刻ｔ２）の期間において、放電電力量＝Ｐｄ３２／（ｎ−１）となるように制御を行う。
【００５０】
従って、この期間（時刻ｔ１〜時刻ｔ２）においても、蓄電池ユニット２２−２がリセット充放電における充電を行っていることは負荷１４−１〜１４−ｍ側では何の影響ももたらさず、見かけ上、蓄電池電源装置１５が通常動作を行っているものとみなされることとなる。
【００５１】
続いて制御装置２１は、時刻ｔ２において、リセット充放電が必要な蓄電池ユニット２２−２についてリセット充放電のための２回目の放電を開始し、当該蓄電池ユニット２２−２のＳＯＣが０％になる時刻ｔ３まで放電を行わせる（ステップＳ１５Ｃ）。
【００５２】
このときに、蓄電池ユニット２２−２がリセット充放電における２回目の放電を開始してから蓄電池ユニット２２−２のＳＯＣが０％になるまで（時刻ｔ２〜時刻ｔ３）の期間における蓄電池ユニット２２−２のトータルの放電電力量＝Ｐｄ１３とし、蓄電池ユニット２２−２がリセット充放電における２回目の放電を開始してから蓄電池ユニット２２−２のＳＯＣが０％になるまでの期間の要求電力量＝Ｐ１３であるとし、蓄電池ユニット２２−２以外の他の蓄電池ユニット２２−１、２２−３〜２２−ｎ全体について、蓄電池ユニット２２−２の２回目の放電期間中における最大放電電力量＝Ｐｄ３３とする。
【００５３】
これにより制御装置２１は、蓄電池ユニット２２−２の２回目の放電期間中において、商用電源１１との系統連系により商用電源１１から供給を受ける電力量＝Ｐｄ４３を次式により求める。
Ｐｄ４３＝Ｐ１３−Ｐｄ３３−Ｐｄ１３
【００５４】
そして、制御装置２１は、蓄電池ユニット２２−２がリセット充放電における２回目の放電を開始してから蓄電池ユニット２２−２のＳＯＣが０％になるまで（時刻ｔ２〜時刻ｔ３）の期間の蓄電池ユニット２２−２以外の他の蓄電池ユニット２２−１、２２−３〜２２−ｎ全体の放電電力量が最大放電電力量＝Ｐｄ３３となるように蓄電池ユニット２２−１、２２−３〜２２−ｎのそれぞれに対し、制御を行う（ステップＳ１５Ｄ）。
【００５５】
具体的には、制御装置２１は、蓄電池ユニット２２−１、２２−３〜２２−ｎのそれぞれに対し、蓄電池ユニット２２−２がリセット充放電における２回目の放電を開始してから蓄電池ユニット２２−２のＳＯＣが０％になるまで（時刻ｔ２〜時刻ｔ３）の期間において、放電電力量＝Ｐｄ３３／（ｎ−１）となるように制御を行う。
【００５６】
従って、この期間（時刻ｔ２〜時刻ｔ３）においても、蓄電池ユニット２２−２がリセット充放電における２回目の放電を行っていることは負荷１４−１〜１４−ｍ側では何の影響ももたらさず、見かけ上、蓄電池電源装置１５が通常動作を行っているものとみなされることとなる。
【００５７】
そして、制御装置２１は、蓄電池ユニット２２−２についてのリセット充放電処理を完了し、処理を再びステップＳ１１に移行して、以下、同様の処理を繰り返すこととなる。
【００５８】
以上の説明は、各蓄電池ユニット２２−１〜２２−ｎのリセット充放電処理であったが、制御装置２１は、蓄電池電源装置１５全体としての充放電計画を作成している。
以下、蓄電池電源装置１５全体の充放電計画の作成処理について説明する。
【００５９】
図５は、蓄電池電源装置全体の充放電計画の作成処理フローチャートである。
まず、制御装置２１は、蓄電池ユニット２２−１〜２２−ｎの全てがリセット充放電を順次行えるとともに、蓄電池電源装置１５全体として供給可能電力量が必要以上に低下しないように蓄電池ユニット２２−１〜２２−ｎ毎の運転計画を作成する（ステップＳ２１）。
【００６０】
次に制御装置２１は、リセット充放電を行うべき（すぐにリセット充放電が必要とされる）蓄電池ユニット２２−１〜２２−ｎがあるか否かを判別する（ステップＳ２２）。
ステップＳ２２の判別において、当該判別時点でリセット充放電を行うべき蓄電池ユニットが存在しない場合は（ステップＳ２２；Ｎｏ）、制御装置２１が運用者の目的に応じた蓄電池ユニット２２−１〜２２−ｎの充放電計画を作成して処理を終了する（ステップＳ２４）。
【００６１】
ステップＳ２２の判別において、当該判別時点でリセット充放電を行うべき蓄電池ユニットが存在している場合は（ステップＳ２２；Ｙｅｓ）、制御装置２１は、一つの蓄電池ユニットについて、ステップＳ２１で作成した個々の運転計画に基づいてリセット充放電を行わせるとともに、他のリセット充放電対象外の蓄電池ユニットにより蓄電池電源装置１５全体の出力を補償する運転計画を作成する（ステップＳ２３）。
【００６２】
そして、再び処理をステップＳ２２に移行し、以下同様の処理を繰り返し、リセット充放電を行うべき全ての蓄電池ユニットに対して、他のリセット充放電対象外の蓄電池ユニットにより蓄電池電源装置１５全体の出力を補償する運転計画の作成を完了させる。
そして、リセット充放電を行うべきであって、運転計画が作成されていない蓄電池ユニットがなくなると、処理を終了する。
【００６３】
このように構成することにより、管理者がリセット充放電の実行を明示的に指定せずとも、自動的にリセット充放電の処理を実行することが可能となり、常に最適な状態で蓄電池電源装置１５、ひいては、蓄電池電源システムを維持することができる。
【００６４】
以上の説明のように、本実施形態によれば、一部の蓄電池ユニットがリセット充放電を行う場合でも、蓄電池電源装置１５としての出力は補償できる。
【００６５】
さらに、本実施形態によれば、複数の蓄電池ユニット２２−１〜２２−ｍを備えた蓄電池電源装置１５において、各蓄電池ユニット２２−１〜２２−ｍのうち、その一部の蓄電池ユニットのリセット充放電を行う際に、リセット充放電を行わない他の蓄電池ユニットによってリセット充放電を行う蓄電池の出力を補償し、蓄電池電源装置１５に要求される制御指令値（要求電力量）を補償することで、ピークシフト、需給調整、ＰＶの変動抑制などの用途に蓄電池電源装置１５を通常通り使用しつつ、蓄電池電源装置１５を構成する各蓄電池ユニット２２−１〜２２−ｎのリセット充放電を行うことができる。
【００６６】
また、上記の制御手法により、リセット充放電を行うよう蓄電池毎の運転計画を作成することができ、蓄電池システム全体としてリセット充放電を行うことを含めた運転計画の作成が可能となる。
【００６７】
更に、上記の運転計画を作成することで、リセット充放電の実行を明示的に指定せずとも、自動的にリセット充放電を実行することが可能となり、常に最適な状態で蓄電池電源装置１５、ひいては、蓄電池電源システムを維持することができる。
【００６８】
以上の説明においては、リセット充放電においては、最初の放電後に充電及び放電をそれぞれ１回ずつ行うように構成していたが、それぞれ複数回行うように構成する個とも可能である。
【００６９】
本実施形態の蓄電池電源装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されるようにしてもよい。
【００７０】
また、本実施形態の蓄電池電源装置で実行される制御プログラムを、インターネット等のネットワークに接続されたコンピュータ上に格納し、ネットワーク経由でダウンロードさせることにより提供するように構成してもよい。また、本実施形態の蓄電池電源装置で実行される制御プログラムをインターネット等のネットワーク経由で提供または配布するように構成してもよい。
また、本実施形態の蓄電池電源装置の制御プログラムを、ＲＯＭ等に予め組み込んで提供するように構成してもよい。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１０    蓄電池電源システム
１１    商用電源
１２    分電盤
１３    発電ユニット
１４−１〜１４−ｍ    負荷
１５    蓄電池電源装置
２１    制御装置
２２−１〜２２−ｎ    蓄電池ユニット
２３−１〜２３−ｎ    ＰＣＳ
【図１】
2015146693.tif 000003
【図２】
2015146693.tif 000004
【図３】
2015146693.tif 000005
【図４】
2015146693.tif 000006
【図５】
2015146693.tif 000007